【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
検査視標を被検眼に呈示するための装置本体と、視力値検査視標及び偏光を利用した両眼視機能検査視標を含む検査視標を選択する視標選択手段と、を備える視標呈示装置において、
前記装置本体は，検査視標を表示するための第１ディスプレイ及び第２ディスプレイと，該第１ディスプレイ及び第２ディスプレイの光路を合成するビームコンバイナと，を有する視標形成部であって，前記第１ディスプレイ及び第２ディスプレイの視標光束が偏光軸を持つとき偏光軸を調整，、前記第１ディスプレイ及び第２ディスプレイの視標光束が偏光軸を持たないときは偏光板によって偏光軸を持たせ，前記ビームコンバイナにより合成された視標光束が互いに直交する偏光軸を持つ視標を形成する視標形成部と，該視標形成部により形成された視標を所定の検査距離の被検眼に呈示する投光光学系と，を有し、
視標呈示装置は、前記視標選択手段の選択信号に基づいて前記第１ディスプレイ及び第２ディスプレイの表示を制御する表示制御手段であって，前記視標選択手段により偏光を利用した両眼視機能検査視標が選択されたときには前記第１及び第２ディスプレイの予め定められた一方に左眼用視標を表示させ，他方に右眼用視標を表示させ，視力値検査視標が選択されたときには前記第１又は第２ディスプレイの何れか一方のみに視力値検査視標を表示させる表示制御手段を備えることを特徴とする視標呈示装置。
【請求項２】
請求項１の視標呈示装置は、前記ビームコンバイナにより光路が合成される前記第１ディスプレイの画素のアドレスと前記第２ディスプレイの画素のアドレスとの対応関係を記憶する記憶手段を備え、
前記表示制御手段は、前記記憶手段に記憶された前記第１及び第２ディスプレイが持つ画素のアドレスの対応関係に基づいて前記第１及び第２ディスプレイの表示を制御し、前記ビームコンバイナによる合成後の前記左眼用視標と前記右眼用視標とを所定の位置関係に表示させることを特徴とする視標呈示装置。
【請求項３】
請求項１又は２の視標呈示装置において、前記第１及び第２ディスプレイは所定方向の直線偏光を発する同一の液晶ディスプレイからなり、前記第１及び第２ディスプレイは相対的に９０度回転した位置関係で配置され、
前記表示制御手段は、両眼視機能検査視標が選択されたときには、第１及び第２ディスプレイの９０度回転された位置関係に基づいて前記第１ディスプレイ及び第２ディスプレイの表示を制御し、前記ビームコンバイナによる合成後の前記左眼用視標と前記右眼用視標とを所定の位置関係に表示させることを特徴とする視標呈示装置。
【請求項４】
請求項３の視標呈示装置において、前記ビームコンバイナは第１偏光軸を持つ光束を透過し、第１偏光軸と直交する第２偏光軸の光束を反射する特性を有する偏光ビームコンバイナから構成され、
前記第１及び第２ディスプレイは、一方の偏光軸が前記偏光ビームコンバイナの第１偏光軸に合わせられ、他方の偏光軸が前記偏光ビームコンバイナの第２偏光軸に合わせられていることを特徴とする視標呈示装置。
【請求項５】
請求項１の視標呈示装置において、前記第１及び第２ディスプレイは所定方向の直線偏光を発する同一の液晶ディスプレイからなり、
前記第１ディスプレイと前記ビームコンバイナとの間の光路、又は前記第２ディスプレイと前記ビームコンバイナとの間の光路の一方に配置された位相差板であって、光束の偏光軸を９０度回転させる位相差板を備え、
前記表示制御手段は、両眼視機能検査視標が選択されたときには、前記位相差板により９０度回転される偏光軸の対応関係に基づいて前記第１及び第２ディスプレイの表示を制御し、前記ビームコンバイナによる合成後の前記左眼用視標と前記右眼用視標とを所定の位置関係に表示させることを特徴とする視標呈示装置。
【手続補正２】
【補正対象書類名】明細書
【補正対象項目名】０００５
【補正方法】変更
【補正の内容】
【０００５】
上記課題を解決するために、本発明は以下のような構成を備えることを特徴とする。
（１）  検査視標を被検眼に呈示するための装置本体と、視力値検査視標及び偏光を利用した両眼視機能検査視標を含む検査視標を選択する視標選択手段と、を備える視標呈示装置において、
前記装置本体は，検査視標を表示するための第１ディスプレイ及び第２ディスプレイと，該第１ディスプレイ及び第２ディスプレイの光路を合成するビームコンバイナと，を有する視標形成部であって，前記第１ディスプレイ及び第２ディスプレイの視標光束が偏光軸を持つとき偏光軸を調整，、前記第１ディスプレイ及び第２ディスプレイの視標光束が偏光軸を持たないときは偏光板によって偏光軸を持たせ，前記ビームコンバイナにより合成された視標光束が互いに直交する偏光軸を持つ視標を形成する視標形成部と，該視標形成部により形成された視標を所定の検査距離の被検眼に呈示する投光光学系と，を有し、
視標呈示装置は、前記視標選択手段の選択信号に基づいて前記第１ディスプレイ及び第２ディスプレイの表示を制御する表示制御手段であって，前記視標選択手段により偏光を利用した両眼視機能検査視標が選択されたときには前記第１及び第２ディスプレイの予め定められた一方に左眼用視標を表示させ，他方に右眼用視標を表示させ，視力値検査視標が選択されたときには前記第１又は第２ディスプレイの何れか一方のみに視力値検査視標を表示させる表示制御手段を備えることを特徴とする。
（２）  （１）の視標呈示装置は、前記ビームコンバイナにより光路が合成される前記第１ディスプレイの画素のアドレスと前記第２ディスプレイの画素のアドレスとの対応関係を記憶する記憶手段を備え、
前記表示制御手段は、前記記憶手段に記憶された前記第１及び第２ディスプレイが持つ画素のアドレスの対応関係に基づいて前記第１及び第２ディスプレイの表示を制御し、前記ビームコンバイナによる合成後の前記左眼用視標と前記右眼用視標とを所定の位置関係に表示させることを特徴とする。
（３）  （１）又は２の視標呈示装置において、前記第１及び第２ディスプレイは所定方向の直線偏光を発する同一の液晶ディスプレイからなり、前記第１及び第２ディスプレイは相対的に９０度回転した位置関係で配置され、
前記表示制御手段は、両眼視機能検査視標が選択されたときには、第１及び第２ディスプレイの９０度回転された位置関係に基づいて前記第１ディスプレイ及び第２ディスプレイの表示を制御し、前記ビームコンバイナによる合成後の前記左眼用視標と前記右眼用視標とを所定の位置関係に表示させることを特徴とする。
（４）  （３）の視標呈示装置において、前記ビームコンバイナは第１偏光軸を持つ光束を透過し、第１偏光軸と直交する第２偏光軸の光束を反射する特性を有する偏光ビームコンバイナから構成され、
前記第１及び第２ディスプレイは、一方の偏光軸が前記偏光ビームコンバイナの第１偏光軸に合わせられ、他方の偏光軸が前記偏光ビームコンバイナの第２偏光軸に合わせられていることを特徴とする。
（５）  （１）の視標呈示装置において、前記第１及び第２ディスプレイは所定方向の直線偏光を発する同一の液晶ディスプレイからなり、
前記第１ディスプレイと前記ビームコンバイナとの間の光路、又は前記第２ディスプレイと前記ビームコンバイナとの間の光路の一方に配置された位相差板であって、光束の偏光軸を９０度回転させる位相差板を備え、
前記表示制御手段は、両眼視機能検査視標が選択されたときには、前記位相差板により９０度回転される偏光軸の対応関係に基づいて前記第１及び第２ディスプレイの表示を制御し、前記ビームコンバイナによる合成後の前記左眼用視標と前記右眼用視標とを所定の位置関係に表示させることを特徴とする。